(57)【特許請求の範囲】
【請求項１】
地上局において、映像符号化装置の変調器から、映像復号化装置の復調器に、上記復調器のＩＦ入力周波数に対応した周波数の自局折り返し用ＩＦ出力信号を出力し、上記映像符号化装置と上記映像復号化装置との間で自局折り返しによる故障解析を行い得るようにした映像符号化・復号化装置において、上記映像符号化装置の変調器は、互いに直交する2つの変調信号と、９０°の位相差を有する２つの第1ローカル信号とをそれぞれミキサに入力して得た信号にもとづいて位相変調信号を出力する直交変調器と、上記位相変調信号と第2ローカル信号とを入力とし上記変調器のＩＦ出力信号を出力する第３のミキサと、上記ＩＦ出力信号と自局折り返し信号生成用ローカル信号とを入力とし自局折り返し用ＩＦ出力信号を出力する第４のミキサとを備え、上記ＩＦ出力信号と上記自局折り返し用ＩＦ出力信号とを選択的に出力し得るようにしたことを特徴とする映像符号化・復号化装置。
【請求項２】
地上局において、映像符号化装置の変調器から、映像復号化装置の復調器に、上記復調器のＩＦ入力周波数に対応した周波数の自局折り返し用ＩＦ出力信号を出力し、上記映像符号化装置と上記映像復号化装置との間で自局折り返しによる故障解析を行い得るようにした映像符号化・復号化装置において、上記映像符号化装置の変調器は、互いに直交する２つの変調信号と、９０°の位相差を有する２つの第1ローカル信号とをそれぞれミキサに入力して得た信号にもとづいて上記変調器のＩＦ出力信号となる位相変調信号を出力する直交変調器と、上記ＩＦ出力信号と自局折り返し信号生成用ローカル信号とを入力とし自局折り返し用ＩＦ出力信号を出力する第３のミキサとを備え、上記ＩＦ出力信号と上記自局折り返し用ＩＦ出力信号とを選択的に出力し得るようにしたことを特徴とする映像符号化・復号化装置。
【請求項３】
第２ローカル信号と自局折り返し信号生成用ローカル信号とを共通のローカル信号発生装置から発生するようにしたことを特徴とする請求項１記載の映像符号化・復号化装置。
【請求項４】
ＩＦ出力信号と自局折り返し用ＩＦ出力信号との選択は、変調器内に設けられた切り換えスイッチによって行なわれるようにしたことを特徴とする請求項１または請求項２記載の映像符号化・復号化装置。
【請求項５】
自局折り返し信号生成用ローカル信号の発生と連動して変調器の出力信号を自局折り返し用ＩＦ出力信号に切り換えるようにしたことを特徴とする請求項１または請求項２記載の映像符号化・復号化装置。
【請求項６】
自局折り返し信号生成用ローカル信号の発生と連動して切り換えスイッチを自局折り返し用ＩＦ出力信号側に切り換える設定装置を設けたことを特徴とする請求項４記載の映像符号化・復号化装置。
【請求項７】
自局折り返し信号生成用ローカル信号は、複数の信号が設定し得るようにされ、その１つを選択して使用するようにされていることを特徴とする請求項１〜請求項６のいずれか１項記載の映像符号化・復号化装置。
【請求項８】
自局折り返し信号生成用ローカル信号の複数の信号の設定と選択を設定装置によって行なうようにしたことを特徴とする請求項７記載の映像符号化・復号化装置。
【発明の詳細な説明】
【０００１】
【発明の属する技術分野】
この発明は、映像符号化・復号化装置、特に映像符号化装置における変調器のＩＦ出力周波数を、外付けのミキサと信号発生器ＳＧ（Signal  Generator）を使用することなく、映像復号化装置における復調器のＩＦ入力周波数に変換するＩＦ周波数変換装置に関するものである。
【０００２】
【従来の技術】
従来、地上局において、映像符号化装置と映像復号化装置の間で故障解析のために自局折り返しを行なう際、インターフェース条件であるＩＦ信号の周波数が異なる場合には、映像符号化装置に内蔵されている変調器のＩＦ出力信号の周波数を、外付けのミキサとＳＧを使用して、映像復号化装置に内蔵されている復調器のＩＦ入力信号の周波数に変換していた。
図５は、従来の自局折り返しを行なう場合の映像符号化装置と映像復号化装置の概略構成を示すブロック図である。この図において１は、映像符号化装置(VIDEO ENC)、２は映像符号化装置に内蔵された変調器(MOD)、３は映像復号化装置(VIDEO DEC)、４は映像復号化装置に内蔵された復調器(DEM)、５は外付けのミキサ、６はローカル信号を発生する信号発生器ＳＧである。
変調器２のＩＦ出力信号IFf1(１００MHz帯) を、ミキサ５によって信号発生器（SG）６からのローカル信号LOf1と周波数混合することにより、復調器４のＩＦ入力信号IFf2(１GHz帯)に変換し、自局折り返しを行なえるようにしたものである。
【０００３】
次に、 映像符号化装置１の構成について説明する。入力された映像(VIDEO)信号、音声(AUDIO)信号、データ(DATA)信号を統合化器(MUX)７で一連の情報ビット列にまとめ、変調器２に入力する。変調器２は入力された信号に４相または８相の位相変調を施してＩＦ出力信号IFf1とするもので、以下のように構成されている。即ち、入力信号に誤り訂正を施す誤り訂正符号化器(FEC ENC)８、この誤り訂正符号化器(FEC ENC)８の出力側に接続され、互いに直交する２つの変調信号（Ｉチャネル、Ｑチャネル）を生ずる２個のD/A変換器９,１０、第1ローカル周波数発振回路(LO1)１１、上記発振回路１１からの信号にもとづいて互いに９０°の位相差を有する２つのローカル信号を発生する９０°分配器１２、D/A変換器９,１０からの信号と９０°分配器１２からの２つのローカル信号とをそれぞれ周波数混合する２個のミキサ１３、１４、上記各ミキサ１３,１４の出力を入力とし、位相変調する分配器１５、第２ローカル周波数発振回路(LO2)１６、２つの発振回路１１、１６に対してローカル周波数を設定する設定手段１７及び第２ローカル周波数発振回路(LO2)１６からのローカル信号と分配器１５の出力信号とを周波数混合してＩＦ出力信号を生ずるミキサ１８で構成されている。
【０００４】
次に、従来装置の動作について説明する。統合化器７によって一連の情報ビット列にまとめられた信号は、誤り訂正符号化器８及び２個のD/A変換器９,１０を経て互いに直交する２つの変調信号BBI,BBQとしてそれぞれミキサ１３、１４に入力される。各ミキサ１３、１４には、また、９０°分配器１２から９０°の位相差を持った第1ローカル信号LO1f1,LO1f2(例えば８３６MHz)がそれぞれ入力され、周波数混合された後、分配器(直交変調器)１５に入力され、位相変調信号IFf3が出力される。更に、この位相変調信号IFf3と第２ローカル周波数発振回路１６からの第２ローカル信号LO2f1(例えば９７６MHz)とをミキサ１８に入力することにより、変調器２のＩＦ出力信号IFf1(例えば１４０MHz)が４相または８相の位相変調波として出力される。
このＩＦ出力信号IFf1は、上述のように外付けのミキサ５に入力され、同様に外付けのローカル信号発生器（ＳＧ）６からのローカル信号IFf1と周波数混合することにより、映像復号化装置３の復調器４のＩＦ入力信号IFf2(１GHz帯)に変換される。
映像復号化装置３は、受信したＩＦ入力信号IFf2を復調器４で復調し、図示しない分離化器(DEMUX)を介して元の映像信号、音声信号、データ信号に分離して、これらを出力する。
【０００５】
【発明が解決しようとする課題】
従来装置は以上のように構成されており、地上局において映像符号化装置と映像復号化装置との間で故障解析を目的とした自局折り返しを行なう際、映像符号化装置に内蔵されている変調器のＩＦ出力周波数が、映像復号化装置に内蔵されている復調器のＩＦ入力周波数と異なる場合には、外付けのミキサとローカル信号発生装置ＳＧとを使用して映像符号化装置の変調器のＩＦ出力周波数を映像復号化装置の復調器のＩＦ入力周波数である自局折り返し用ＩＦ出力周波数に変換する必要があり、繁雑であるという問題があった。
この発明は、このような問題点を解消するためになされたもので、外付けのミキサとローカル信号発生器ＳＧとを使用することなく、映像符号化装置と映像復号化装置との間で自局折り返しを行なうことができる装置を提供することを目的とする。
【０００６】
【課題を解決するための手段】
この発明に係る映像符号化・復号化装置は、地上局において、映像符号化装置の変調器から、映像復号化装置の復調器に、この復調器のＩＦ入力周波数に対応した周波数の自局折り返し用ＩＦ出力信号を出力し、映像符号化装置と映像復号化装置との間で自局折り返しによる故障解析を行ない得るようにした映像符号化・復号化装置において、映像符号化装置の変調器が、互いに直交する2つの変調信号と、９０°の位相差を有する２つの第1ローカル信号とをそれぞれミキサに入力して得た信号にもとづいて位相変調信号を出力する直交変調器と、位相変調信号と第２ローカル信号とを入力とし変調器のＩＦ出力信号を出力する第３のミキサと、ＩＦ出力信号と自局折り返し信号生成用ローカル信号とを入力とし自局折り返し用ＩＦ出力信号を出力する第４のミキサとを備え、ＩＦ出力信号と自局折り返し用ＩＦ出力信号とを選択的に出力し得るようにしたものである。
【０００７】
この発明に係る映像符号化・復号化装置は、また、地上局において、映像符号化装置の変調器から、映像復号化装置の復調器に、この復調器のＩＦ入力周波数に対応した周波数の自局折り返し用ＩＦ出力信号を出力し、映像符号化装置と映像復号化装置との間で自局折り返しによる故障解析を行ない得るようにした映像符号化・復号化装置において、映像符号化装置の変調器が、互いに直交する２つの変調信号と、９０°の位相差を有する２つの第1ローカル信号とをそれぞれミキサに入力して得た信号にもとづいて変調器のＩＦ出力信号となる位相変調信号を出力する直交変調器と、ＩＦ出力信号と自局折り返し信号生成用ローカル信号とを入力とし自局折り返し用ＩＦ出力信号を出力する第３のミキサとを備え、ＩＦ出力信号と自局折り返し用ＩＦ出力信号とを選択的に出力し得るようにしたものである。
【０００８】
この発明に係る映像符号化・復号化装置は、また、第２ローカル信号と自局折り返し信号生成用ローカル信号とを共通のローカル信号発生装置から発生するようにしたものである。
【０００９】
この発明に係る映像符号化・復号化装置は、また、ＩＦ出力信号と自局折り返し用ＩＦ出力信号との選択を、変調器内に設けられた切り換えスイッチによって行なうようにしたものである。
【００１０】
この発明に係る映像符号化・復号化装置は、また、自局折り返し信号生成用ローカル信号の発生と連動して変調器の出力信号を自局折り返し用ＩＦ出力信号に切り換えるようにしたものである。
【００１１】
この発明に係る映像符号化・復号化装置は、また、自局折り返し信号生成用ローカル信号の発生と連動して切り換えスイッチを自局折り返し用ＩＦ出力信号側に切り換える設定装置を設けたものである。
【００１２】
この発明に係る映像符号化・復号化装置は、また、自局折り返し信号生成用ローカル信号が、複数設定し得るようにされ、その１つを選択して使用するようにされているものである。
【００１３】
この発明に係る映像符号化・復号化装置は、また、自局折り返し信号生成用ローカル信号の複数の信号の設定と選択を設定装置によって行なうようにしたものである。
【００１４】
【発明の実施の形態】
実施の形態１．
以下、この発明の実施の形態１を図にもとづいて説明する。
図１は、実施の形態１の構成を示すブロック図である。この図において、１は映像符号化装置、２は映像符号化装置に内蔵された変調器、３は映像復号化装置、４は映像復号化装置に内蔵された復調器である。自局折り返しを行なう場合には、映像符号化装置の変調器２において、通常時のＩＦ出力信号IFf1(１００MHz帯)を後述するように、自局折り返し用ＩＦ出力信号IFf1A(１GHz帯)に切り換えて、この信号を復調器４のＩＦ入力信号IFf2とする。
【００１５】
次に、 映像符号化装置１の構成について説明する。入力された映像(VIDEO)信号、音声(AUDIO)信号、データ(DATA)信号を統合化器(MUX)７で一連の情報ビット列にまとめ、変調器２に入力する。変調器２は入力された信号に４相または８相の位相変調を施してＩＦ出力信号IFf1とするもので、以下のように構成されている。即ち、入力信号に誤り訂正を施す誤り訂正符号化器(FEC ENC)８、この誤り訂正符号化器(FEC ENC)８の出力側に接続され、互いに直交する２つの変調信号（Ｉチャネル、Ｑチャネル）を生ずる２個のD/A変換器９,１０、第1ローカル周波数発振回路(LO1)１１、上記発振回路１１からの信号にもとづいて互いに９０°の位相差を有する２つのローカル信号を発生する９０°分配器１２、D/A変換器９,１０からの信号と９０°分配器１２からの２つのローカル信号とをそれぞれ周波数混合する２個のミキサ１３、１４、上記各ミキサ１３,１４の出力を入力とし、位相変調する分配器１５、第２ローカル周波数発振回路(LO2)１６、２つの発振回路１１、１６に対してローカル周波数を設定する設定手段１７及び第２ローカル周波数発振回路(LO2)１６からのローカル信号と分配器１５の出力信号とを周波数混合してＩＦ出力信号を生ずるミキサ１８、このミキサ１８の出力側に接続され、ミキサ１８の出力を図示のａ側とｂ側に切り換える第１の切り換えスイッチ１９、同様な切り換え構造を有し、ａ側またはｂ側の信号を変調器２の出力端に切り換え接続する第２の切り換えスイッチ２０、両切り換えスイッチのａ側端子相互を接続する接続線２１、第１の切り換えスイッチ１９のｂ端子に接続されると共に、第２ローカル周波数発振回路１６からのローカル信号を自局折り返し信号生成用ローカル信号として入力し、出力端子を第２の切り換えスイッチ２０のｂ端子に接続したミキサ２２で構成されている。なお、第１、第２の切り換えスイッチ１９、２０の切り換えは、設定手段１７によって行なわれるようにされている。
【００１６】
次に、この実施の形態１の動作について説明する。
統合化器７によって一連の情報ビット列にまとめられた信号は、誤り訂正符号化器８及び２個のD/A変換器９,１０を経て互いに直交する２つの変調信号BBI,BBQとしてそれぞれミキサ１３、１４に入力される。各ミキサ１３、１４には、また、９０°分配器１２から９０°の位相差を持った第1ローカル信号LO1f1,LO1f2(例えば８３６MHz)がそれぞれ入力され、周波数混合された後、分配器(直交変調器)１５に入力され、位相変調信号IFf3が出力される。更に、この位相変調信号IFf3と第２ローカル周波数発振回路１６からの第２ローカル信号LO2f1(例えば９７６MHz)とをミキサ１８に入力することにより、変調器２のＩＦ出力信号IFf1(例えば１４０MHz)が４相または８相の位相変調波として出力される。
【００１７】
ミキサ１８のＩＦ出力信号IFf1は切り換えスイッチ１９に与えられ、可動接点をａ側に切り換えた場合は、接続線２１を経てＩＦ出力信号IFf1がそのまま切り換えスイッチ２０のａ端子に導かれ、切り換えスイッチ１９の可動接点をｂ側に切り換えた場合は、ミキサ１８のＩＦ出力信号IFf1をミキサ２２に入力する。ミキサ２２は、ＩＦ出力信号IFf1と自局折り返し信号生成用ローカル信号LO2f1(例えば９７６MHz)とを周波数混合することにより、自局折り返し用ＩＦ出力信号IFf1A（例えば１１１６MHz）を生成し、第２の切り換えスイッチ２０のｂ端子に与える。従って、自局折り返しを行なわない通常時は、設定手段１７によって切り換えスイッチ１９，２０をそれぞれａ側に切り換えることにより、変調器２の出力としてＩＦ出力信号IFf1を送出することができ、自局折り返しを行なう場合には、設定手段１７によって切り換えスイッチ１９，２０をそれぞれｂ側に切り換えることにより、ミキサ１８のＩＦ出力信号IFf1を、ミキサ２２を経て自局折り返し用ＩＦ出力信号IFf1Aに変換し、この信号を復調器４のＩＦ入力信号IFf2とすることができる。
なお、この実施の形態ではミキサ２２に入力する自局折り返し信号生成用ローカル信号を第２ローカル周波数発振回路１６から得ているが、独立した別のローカル周波数発振回路から得るようにしてもよいことは云うまでもない。
【００１８】
実施の形態２．
次に、この発明の実施の形態２を図にもとづいて説明する。
図２は、実施の形態２の構成を示すブロック図である。この図において、図１と同一または相当部分には同一符号を付して説明を省略する。図１と異なる点は、第２ローカル周波数発振回路１６が、複数の第２ローカル信号LO2f1A,LO2f1B,…LO2f1Nを発生し得るように構成され、設定手段１７によって任意の1波を選定して設定することができるようにした点である。もちろん、上記の複数の第２ローカル信号は、発振回路１６とは独立した別の発振回路によって発生するようにしてもよいことは云うまでもない。
【００１９】
自局折り返しを行なう場合には、切り換えスイッチ１９，２０を実施の形態１と同様に、それぞれｂ側に切り換えると共に、ミキサ２２に入力される自局折り返し信号生成用ローカル信号を複数の第２ローカル信号LO2f1A,LO2f1B, …LO2f1Nの中から任意の1波を選定して復調器４のＩＦ入力信号IFf2とする。
【００２０】
実施の形態３．
次に、この発明の実施の形態３を図にもとづいて説明する。
図３は、実施の形態３の構成を示すブロック図である。この図において、図１と同一または相当部分には同一符号を付して説明を省略する。図１と異なる点は、ミキサ１８と、それに入力される第２ローカル信号LO2f1を省略して第1ローカル周波数発振回路１１からの第１ローカル信号LO1f1,LO1f2により通常時のＩＦ出力信号IFf1を直接生成するようにしたものである。第２ローカル周波数発振回路１６からの第２ローカル信号LO2f1は、ミキサ２２にのみ入力され、自局折り返し用ＩＦ出力信号IFf1Aの生成のためにのみ用いられている。
自局折り返しを行なう場合の動作は、実施の形態１及び２と同じであるため説明を省略する。
【００２１】
実施の形態４．
次に、この発明の実施の形態４を図にもとづいて説明する。
図４は、実施の形態４の構成を示すブロック図である。この図において、図３と同一または相当部分には同一符号を付して説明を省略する。図３と異なる点は、第２ローカル周波数発振回路１６が、複数の第２ローカル信号LO2f1A,LO2f1B,
…LO2f1Nを発生し得るように構成され、設定手段１７によって任意の1波を選定して設定することができるようにした点である。
自局折り返しを行なう場合には、切り換えスイッチ１９，２０を実施の形態３と同様に、それぞれｂ側に切り換えると共に、ミキサ２２に入力される自局折り返し信号生成用ローカル信号を複数の第２ローカル信号LO2f1A,LO2f1B,…LO2f1Nの中から任意の1波を選定し、ミキサ２２の出力である自局折り返し用ＩＦ出力信号IFf1Aを復調器４のＩＦ入力信号IFf2とする。
【００２２】
【発明の効果】
この発明は以上のように構成され、映像符号化装置の変調器内でＩＦ出力信号と、この信号にもとづく自局折り返し用ＩＦ出力信号とを発生させ、これらの信号を選択的に出力し得るようにしたので、映像符号化装置に内蔵されている変調器のＩＦ出力周波数と、映像復号化装置に内蔵されている復調器のＩＦ入力周波数とが異なる場合にも、外付けのミキサとローカル信号発生器ＳＧを使用することなく、自局折り返しを行なうことができる。
【００２３】
この発明は、また、第２ローカル信号と自局折り返し信号生成用ローカル信号とを共通のローカル信号発生装置から発生するようにしたため、回路構成を簡素化することができる。
また、ＩＦ出力信号と自局折り返し用ＩＦ出力信号との選択を切り換えスイッチによって行なうようにしているため、簡単でかつ確実な制御ができるものである。
【００２４】
この発明は、また、自局折り返し信号生成用ローカル信号の発生と連動して変調器の出力信号や切り換えスイッチの切り換えを行なうようにしているため、制御が容易で信頼性も高い。
また、自局折り返し信号生成用ローカル信号は、複数の信号を発生し、その１つを設定装置で選択して使用するものであるため、復調器のＩＦ入力周波数に対応させやすい。
【図面の簡単な説明】
【図１】  この発明の実施の形態１の構成を示すブロック図である。
【図２】  この発明の実施の形態２の構成を示すブロック図である。
【図３】  この発明の実施の形態３の構成を示すブロック図である。
【図４】  この発明の実施の形態４の構成を示すブロック図である。
【図５】  従来装置による自局折り返しの構成を示すブロック図である。
【符号の説明】
１  映像符号化装置(VIDEO ENC)、２  変調器(MOD)、３  映像復号化装置(VIDEO DEC)、４  復調器(DEM)、７  統合化器(MUX)、８  誤り訂正符号化器(FEC ENC)、９、１０  D/A変換器、１１  第1ローカル周波数発振回路(LO1)、１２  分配器、１３，１４，１８，２２  ミキサ、１５  分配器、１６  第2ローカル周波数発振回路(LO2)、１７  設定手段。
【図１】
0003637483.tif 000002
【図２】
0003637483.tif 000003
【図３】
0003637483.tif 000004
【図４】
0003637483.tif 000005
【図５】
0003637483.tif 000006